(57)【特許請求の範囲】
【請求項１】
被供給体の燃料供給口に接続されて当該被供給体に対して燃料供給を行なうためのノズルと、
前記ノズルに燃料を供給するための燃料供給経路とを備えた燃料供給装置において、
前記ノズルを操作する操作者が所持して当該操作者の存在を示す信号を送信する送信手段と、
前記ノズルに設けられ、前記送信手段からの信号を受信する受信手段と、
前記受信手段が前記送信手段からの信号を受信したか否かを判別し、判別結果を出力する受信判別手段と、
前記受信判別手段により前記送信手段からの信号を受信されないと判別された場合に前記ノズルへの燃料供給を停止させる制御手段と、
を備えたことを特徴とする燃料供給装置。
【請求項２】
前記燃料供給装置は、前記ノズルからの燃料供給が停止されたか否かを検知する停止判別手段からなり、
前記制御手段は、前記停止判別手段により前記ノズルからの燃料供給が停止されたと判別され、かつ前記受信判別手段により前記送信手段からの信号を受信されないと判別された場合に前記ノズルへの燃料供給を停止させることを特徴とする請求項１に記載の燃料供給装置。
【請求項３】
前記制御手段は、前記受信判別手段により前記受信手段が前記送信手段からの信号を受信していないと判別した判別結果に基づいて前記ノズルへの燃料供給を停止させた場合に、前記受信手段が前記送信手段からの信号を受信したことを条件として前記ノズルへの燃料供給を再開させることを特徴とする請求項１または２記載の燃料供給装置。
【請求項４】
前記制御手段は、
前記受信判別手段により前記受信手段が前記送信手段からの信号を受信していないと判別した判別結果が出力されてからの時間を計測する未受信時間計測手段と、
前記未受信時間計測手段により計測された未受信時間が予め設定された設定時間に達したときに前記ノズルへの燃料供給を停止させる燃料供給停止手段と、
を有することを特徴とする請求項１乃至３の何れかに記載の燃料供給装置。
【請求項５】
前記受信判別手段により前記送信手段からの信号を受信されないと判別された場合に前記ノズルへの燃料供給を停止させたことを報知する報知手段を有することを特徴とする請求項１乃至４の何れかに記載の燃料供給装置。
【請求項６】
前記受信判別手段により前記受信手段が前記送信手段からの信号を受信していないと判別した判別結果に基づいて前記ノズルへの燃料供給を停止させた場合に、前記受信手段が前記送信手段からの信号を受信して前記ノズルへの燃料供給を再開させることを報知する報知手段を有することを特徴とする請求項３乃至５の何れかに記載の燃料供給装置。
【発明の詳細な説明】
【技術分野】
【０００１】
本発明は燃料供給装置に係り、特に被供給体に接続されたノズルを操作することによって燃料供給が行なわれるよう構成された燃料供給装置に関する。
【背景技術】
【０００２】
例えば、ガソリンや軽油等の液体燃料を車両の燃料タンクに供給する燃料供給装置では、ノズル収納部からノズルを持ち上げると、ノズルスイッチがオフになってポンプが起動され、燃料タンクに接続されたノズルのノズルレバーを開弁方向に操作して燃料タンクへの燃料供給が行なわれるように構成されている（例えば、特許文献１参照）。
【０００３】
また、操作者としての係員がノズル操作を行なうフルサービス方式のようにノズルレバーを開弁位置に係止するレバー係止部を有するノズルの場合には、燃料供給中に係員がノズルから離れて窓拭きなどの作業が行なわれる。
【０００４】
また、操作者としての顧客がノズル操作を行なうセルフサービス方式の場合には、顧客が燃料供給のための各設定値（油種、プリセット値など）を入力すると、事務所側の管理コンピュータからの許可信号を受けて燃料供給が可能になるため、許可信号が出力された場合には、誰でもノズルレバーを操作して燃料供給をすることが可能となる。
【先行技術文献】
【特許文献】
【０００５】
【特許文献１】特開２００７−１８２２４１号公報
【発明の概要】
【発明が解決しようとする課題】
【０００６】
上記従来の燃料供給装置では、ノズルを燃料タンクの供給口に接続した状態で操作者がノズルから離れた場所にいても、操作者以外の者がノズルレバーを開弁操作して燃料供給することが可能であるので、当該燃料供給中の車両以外の容器に燃料供給されてしまうおそれがある。
【０００７】
そこで、本発明は上記事情に鑑み、上記課題を解決した燃料供給装置を提供することを目的とする。
【課題を解決するための手段】
【０００８】
上記課題を解決するため、本発明は以下のような手段を有する。
（１）本発明は、被供給体の燃料供給口に接続されて当該被供給体に対して燃料供給を行なうためのノズルと、
前記ノズルに燃料を供給するための燃料供給経路とを備えた燃料供給装置において、
前記ノズルを操作する操作者が所持して当該操作者の存在を示す信号を送信する送信手段と、
前記ノズルに設けられ、前記送信手段からの信号を受信する受信手段と、
前記受信手段が前記送信手段からの信号を受信したか否かを判別し、判別結果を出力する受信判別手段と、
前記受信判別手段により前記送信手段からの信号を受信されないと判別された場合に前記ノズルへの燃料供給を停止させる制御手段と、
を備えたことを特徴とする。
（２）  本発明の燃料供給装置は、前記ノズルからの燃料供給が停止されたか否かを検知する停止判別手段を備え、
前記制御手段は、前記停止判別手段により前記ノズルからの燃料供給が停止されたと判別され、かつ前記受信判別手段により前記送信手段からの信号を受信されないと判別された場合に前記ノズルへの燃料供給を停止させることを特徴とする。
（３）本発明の前記制御手段は、前記受信判別手段により前記受信手段が前記送信手段からの信号を受信していないと判別した判別結果に基づいて前記ノズルへの燃料供給を停止させた場合に、前記受信手段が前記送信手段からの信号を受信したことを条件として前記ノズルへの燃料供給を再開させることを特徴とする。
（４）本発明の前記制御手段は、
前記受信判別手段により前記受信手段が前記送信手段からの信号を受信していないと判別した判別結果が出力されてからの時間を計測する未受信時間計測手段と、
前記未受信時間計測手段により計測された未受信時間が予め設定された設定時間に達したときに前記ノズルへの燃料供給を停止させる燃料供給停止手段と、
を有することを特徴とする。
（５）本発明は、前記受信判別手段により前記送信手段からの信号を受信されないと判別された場合に前記ノズルへの燃料供給を停止させたことを報知する報知手段を有することを特徴とする。
（６）本発明は、前記受信判別手段により前記受信手段が前記送信手段からの信号を受信していないと判別した判別結果に基づいて前記ノズルへの燃料供給を停止させた場合に、前記受信手段が前記送信手段からの信号を受信して前記ノズルへの燃料供給を再開させることを報知する報知手段を有することを特徴とする。
【発明の効果】
【０００９】
本発明によれば、送信手段からの信号が受信手段により受信されないと判別されて当該ノズルへの燃料供給を停止させるため、例えば、送信手段を所持する操作者が送受信可能な範囲から外側に移動したときに、操作者以外の者がノズルレバーを勝手に操作して、不正に燃料供給を行うことを防止できる。
【図面の簡単な説明】
【００１０】
【図１】本発明による燃料供給装置の一実施例が適用された燃料供給システムの概略構成を示す斜視図である。
【図２】ノズルの側面図である。
【図３】送信装置の平面図である。
【図４】送信装置、受信装置、計量機の概略構成を模式的に示すシステム系統図である。
【図５】燃料供給装置及び給液ポイントを上方からみた平面図である。
【図６】燃料供給装置の各機器の構成を示すブロック図である。
【図７】燃料供給装置の制御回路が実行する制御処理を説明するためのフローチャートである。
【図８】燃料供給装置の制御回路が図７の制御処理に続いて実行する制御処理を説明するためのフローチャートである。
【発明を実施するための形態】
【００１１】
以下、図面を参照して本発明を実施するための形態について説明する。
【実施例１】
【００１２】
図１は本発明による燃料供給装置の一実施例が適用された燃料供給システムの概略構成を示す斜視図である。図１に示されるように、燃料供給システム１０は、燃料供給エリア１２に設置されたセルフサービス方式の燃料供給装置１６と、事務所１８内に設置された管理コンピュータ２０とを有する。管理コンピュータ２０は、燃料供給所に設置された各機器を管理しており、燃料供給装置１６から燃料供給要求信号が出力されると、係員が当該燃料供給装置１６の周囲の状態が異常ないことを確認して許可釦を操作することにより燃料供給許可信号を当該燃料供給装置１６へ送信する。
【００１３】
尚、管理コンピュータ２０と燃料供給装置１６に搭載された制御回路との間は、ＳＳ−ＬＡＮ２２を介して双方向で通信可能に接続されている。
【００１４】
燃料供給装置１６は、計量機２４と、設定器２６と、表示器２７とを有する。また、計量機２４は、計量機本体２８の前面及び背面に設定器２６が設けられており、さらに各油種（本実施例では、例えば、軽油、ハイオクガソリン、レギュラーガソリンの３種類の油種）毎のノズル３０が保持されるノズル収納部３２が設けられている。
【００１５】
また、各ノズル３０には、燃料が供給されるホース３４が接続されており、ホース３４は計量機本体２８の上部に設けられたホース支持部３５から吊下されている。各ホース３４は計量機本体２８の内部に配置された燃料供給経路（図示せず）に連通されており、各燃料供給経路には流量計、電磁弁、ポンプなどの機器が設けられている。
【００１６】
ノズル３０には、無線方式の受信装置（受信手段）９０が設けられている。受信装置９０は、ノズル操作を行なう顧客（操作者）Ｘの位置を検出するための検出手段として機能するものであり、予め設定された特定の周波数の電波を受信可能に構成されている。
【００１７】
顧客（操作者）Ｘは、当該燃料供給装置１６を操作する際に当該顧客を特定するための情報を無線により送信する送信装置（送信手段）１００を所持している。送信装置１００は、例えば、カード型送信機からなる送信手段であり、各計量機２４毎に配されている。そして、計量機２４の正面には、入力操作が完了すると送信装置１００を収納する送信装置収納部１１０が設けられている。
【００１８】
そのため、顧客Ｘによって設定器２６が操作されて油種、数量などが入力されると、当該計量機２４の送信装置収納部１１０から送信装置１００を取り出すように音声ガイダンスを行なう。そして、顧客Ｘは、当該送信装置１００を所持することにより、送信装置１００から送信される信号によってノズル３０に対する位置を燃料供給装置１６に認識させることができる。
【００１９】
受信装置９０及び送信装置１００では、狭域通信またはＤＳＲＣ（Ｄｅｄｉｃａｔｅｄ  Ｓｈｏｒｔ  Ｒａｎｇｅ  Ｃｏｍｍｕｎｉｃａｔｉｏｎ）と呼ばれる通信方式を用いて無線通信を行なっており、他の計量機と混信しないようになっている。
【００２０】
また、受信装置９０及び送信装置１００による送受信可能範囲は、送信装置１００の送信出力を調整することで例えば、２ｍ〜５ｍの範囲で任意の距離を設定することができる。そのため、顧客（操作者）Ｘがノズル３０からの離間距離が送受信可能範囲を越える位置に移動した場合には、受信装置９０は送信装置１００から送信された信号を受信できなくなる。従って、燃料供給装置１６の制御回路は、受信装置９０が送信装置１００から送信された信号を受信できないときは、顧客（操作者）Ｘが予め設定された設定値（送受信可能範囲）以上離間した位置に移動したことを判別することができる。
【００２１】
また、燃料供給装置１６の制御回路のメモリには、顧客（操作者）Ｘがノズル３０から予め設定された設定値（送受信可能範囲）以上離間したときは、燃料供給を停止させる制御プログラム（制御手段）が格納されている。そのため、燃料供給装置１６においては、顧客（操作者）Ｘがノズル３０を開弁操作して燃料供給を開始した後、ノズル３０から予め設定された設定値（送受信可能範囲）以上離れたときは、当該ノズル３０が連通された燃料供給経路のポンプを停止させ、あるいは当該燃料供給経路の電磁弁を閉弁させることにより燃料供給を停止させる。
【００２２】
また、燃料供給装置１６の制御回路のメモリには、顧客（操作者）Ｘが燃料供給中に例えば、ノズル３０のレバー３０ｄを閉弁操作した場合、或いは、ノズル３０の自動給油停止機構が作動することによって、ノズル３０からの燃料供給が停止された場合に、顧客（操作者）Ｘがノズル３０から予め設定された距離以上離れたとき（顧客（操作者）Ｘが送受信可能範囲外に移動したとき）は、当該ノズル３０が連通された燃料供給経路のポンプを停止させ、あるいは当該燃料供給経路の電磁弁を閉弁させることにより燃料供給を停止させる制御プログラムが格納されている。
【００２３】
また、燃料供給装置１６の制御回路のメモリには、燃料供給を停止させた後、顧客（操作者）Ｘがノズル３０から予め設定された設定値（送受信可能範囲）以内に戻ったときは、当該ノズル３０が連通された燃料供給経路のポンプを再起動させ、あるいは当該燃料供給経路の電磁弁を開弁させることにより燃料供給を再開させる制御プログラム（制御手段）が格納されている。
【００２４】
そして、当該車両に対する燃料供給が終了した場合、送信装置１００を当該計量機２４の送信装置収納部１１０に返却することで精算処理（釣り銭の払い出し、またはプリペイドカードの返却）が実行される。送信装置１００には、当該計量機２４に付属された送信装置１００であることを識別するためのバーコードが印刷されたバーコードシール１０２が貼着されている。
【００２５】
また、送信装置収納部１１０の下面には、送信装置１００が収納されたことを検出する検出手段として送信機検出部１１２が設けられている。送信機検出部１１２は、バーコードリーダからなり、バーコードシール１０２に印刷されたバーコードを光学的に読み取ると、送信装置１００が送信装置収納部１１０に収納されたことが認識される。
【００２６】
従って、燃料供給装置１６の制御回路は、バーコードシール１０２を下方に向けて送信装置１００が送信装置収納部１１０に収納されると、送信機検出部１１２がバーコードシール１０２を読み取って送信装置１００が返却されたことを判別できる。
【００２７】
尚、本実施の形態では、セルフサービス方式の燃料供給装置１６について説明するが、係員がノズル操作を行なうフルサービス方式の燃料供給装置の場合も同様に、係員が送信装置１００を所持することにより、係員がノズル３０から予め設定された設定値（送受信可能範囲）以上離れたときは、燃料供給を停止させ、係員がノズル３０から予め設定された設定値（送受信可能範囲）以内に戻ったときは、燃料供給を再開させる上記制御プログラムが実行される。
【００２８】
また、フルサービス方式の燃料供給装置の場合は、係員が常時送信装置１００を所持しているので、送信装置収納部１１０が不要になる。
【００２９】
図２はノズル３０の側面図である。図２に示されるように、ノズル３０は、車両側の燃料供給口に挿入される吐出パイプ３０ａと、液面検知により自動閉弁動作する自動閉弁機構を有するノズル本体３０ｂと、ノズル本体３０ｂの上部に搭載された受信装置９０とを有する。また、ノズル本体３０ｂは、操作者が把持するグリップ部３０ｃと、グリップ部３０ｃの下方で回動操作されるノズルレバー３０ｄとを有する。
【００３０】
また、受信装置９０は、ノズル３０の上面側に設けられ、ホース３４に挿通された信号線９２（図２中、破線で示す）を介して燃料供給装置１６の制御回路と通信可能に接続されている。
【００３１】
図３は送信装置１００を示す平面図である。図３に示されるように、送信装置１００は、カード型のケース１０１の平面にバーコードシール１０２が貼着され、ケース１０１の内部には、制御部１０３、無線送信機１０４、メモリ１０５、充電式バッテリ１０６が収納されている。また、送信装置１００は、１枚のカードを形成するケース１０１によってパッケージされているので、外観的には、当該燃料供給装置１６のみで使用される燃料供給用ＩＤカードである。
【００３２】
制御部１０３は、予め設定された時間間隔でメモリ１０５に記憶された識別データを無線送信機１０４から送信させる。送信される識別データには、当該燃料供給装置１６に対応する固有のデータが含まれており、他の燃料供給装置１６の識別データと混同しないようにプログラムされている。
【００３３】
図４は送信装置１００、受信装置９０、計量機２４の概略構成を模式的に示すシステム系統図である。図４に示されるように、燃料供給装置１６に搭載された制御回路３６は、ノズル３０による燃料供給が開始されると、流量計４２から出力された流量パルスを積算し、その積算された燃料供給量の数値を表示器２７に表示させる。
【００３４】
ノズル３０に搭載された受信装置９０は、マイクロコンピュータからなる制御部９４と、無線受信機９６と、無線用アンテナ９８とを有する。
【００３５】
また、受信装置９０は、燃料供給中のときは、送信装置１００から送信された信号が無線受信機９６により受信されているか否かを判別しており、受信されない場合には、操作者がノズル３０から所定距離以上離れているものと判断することが可能になる。
【００３６】
図５は燃料供給装置及び給液ポイントを上方からみた平面図である。図５に示されるように、燃料供給装置１６では、車両Ｃの燃料供給口にノズル３０を接続した状態でノズル３０を開弁操作しているときは、ノズル３０に搭載された受信装置９０の送受信可能範囲Ｐ１に操作者Ｘが入っていることを条件として燃料供給を継続する。また、燃料供給装置１６がフルサービス方式の場合は、係員が操作者となるため、燃料供給中に窓拭きなどの作業を行えるように、受信装置９０の送受信可能範囲Ｐ２をセルフサービス方式のＰ１よりも広く設定する（Ｐ１＜Ｐ２）。例えば、送受信可能範囲Ｐ１を半径２ｍの範囲に設定し、送受信可能範囲Ｐ２を半径５ｍの範囲に設定する。
【００３７】
このように、送受信範囲は、適宜変更することが可能であるので、ノズル操作が阻害されないように、あるいは顧客へのサービスが低下しないように顧客または係員の要望に応じた範囲に設定することが可能である。
【００３８】
図６は燃料供給装置１６の各機器の構成を示すブロック図である。図６に示されるように、燃料供給装置１６の制御回路３６は、マイクロコンピュータから構成されており、設定器２６、表示器２７、電源回路３７、各燃料供給経路に設けられた２段閉弁式電磁弁３８、ポンプ４０、流量計４２、メモリ４４、人検出センサ４６、インタホン４８、ノズル収納部３２に設けられたノズルスイッチ５０、静電気除去検出スイッチ５４、伝票を発行する伝票発行機５８、音声案内を行うスピーカ６０、無線受信機９６、送信機検出部１１２と接続されている。
【００３９】
さらに、制御回路３６には、静電気除去ランプ５２、伝票発行ランプ５６、燃料選択釦６４〜６６、満タン釦６８、供給量設定釦７０〜７３、金額設定釦７６〜７９などの各種表示ランプが接続されている。
【００４０】
メモリ４４には、各種制御プログラムが格納されている。制御回路３６は、メモリ４４に格納された各種制御プログラムを読み込んで各制御処理を実行する。
【００４１】
電源回路３７は、制御回路３６だけでなく燃料供給装置１６を構成する他の全ての機器の電源供給を行うように電源ケーブル（図示せず）を介して接続されている。
【００４２】
そして、制御回路３６は、操作者の入力操作に応じて次に行う操作に対応するランプを点灯または点滅させると共に、スピーカ６０から音声案内を発声させる。
【００４３】
図７は計量機２４の制御回路３６が実行するメイン制御処理を説明するためのフローチャートである。図７において、制御回路３６は、Ｓ１１で人検出センサ４６から検知信号（オン）が出力されたときは、Ｓ１２に進み、スピーカ６０による音声による操作方法の案内を開始する。その際、操作者に対して燃料供給すべき油種、数量を設定完了し、ノズル操作を行なう前に送信装置１００を所持するように音声案内を行なう。
【００４４】
次のＳ１３では、操作者が設定器２６の燃料選択釦６４〜６６、満タン釦６８、供給量設定釦７０〜７３、金額設定釦７６〜７９を操作して入力された燃料供給すべき油種、数量を設定データとしてメモリ４４に記憶する。続いて、Ｓ１４に進み、燃料供給すべき油種、数量の設定が完了したか否かをチェックする。Ｓ１４において、入力された設定データを訂正する場合には、上記Ｓ１３の処理に戻り、燃料供給すべき油種、数量を再入力する。また、Ｓ１４において、燃料供給すべき油種、数量が設定完了された場合には、Ｓ１５に進み、送信装置収納部１１０に送信装置１００が収納されているか否かをチェックする。
【００４５】
Ｓ１５において、送信装置収納部１１０に設けられた送信機検出部１１２により送信装置１００のバーコードシール１０２に印刷されたバーコードが読み取れないときは、送信装置収納部１１０に送信装置１００が収納されていないものと判断し、Ｓ１６で、送信装置１００が収納されていないことを管理コンピュータ２０に報知する。これにより、管理コンピュータ２０のオペレータが当該燃料供給装置１６で使用可能な送信装置１００を当該燃料供給装置１６に運び、燃料供給を可能にする。
【００４６】
また、Ｓ１５において、送信装置収納部１１０に設けられた送信機検出部１１２により送信装置１００のバーコードシール１０２に印刷されたバーコードが読み取られたときは、送信装置１００が送信装置収納部１１０に収納されていると判断してＳ１７に進む。Ｓ１７では、許可要求信号を管理コンピュータ２０に出力する。管理コンピュータ２０のオペレータは、当該燃料供給装置１６の監視カメラによる画像を確認して許可釦をオンに操作する。これにより、管理コンピュータ２０は、許可要求信号を出力した当該燃料供給装置１６に対して許可信号を出力する。
【００４７】
Ｓ１８は、上位の管理コンピュータ２０から燃料供給の許可信号が入力されたか否かをチェックする。Ｓ１８において、管理コンピュータ２０から燃料供給の許可信号が入力されたときは、Ｓ１９に進み、表示器２７に表示された前回の燃料供給量をゼロにリセットする。
【００４８】
続いて、Ｓ２０に進み、ノズル３０の受信装置９０が送信装置１００から送信された信号を受信できるか否かをチェックする。Ｓ２０において、ノズル３０の受信装置９０が送信装置１００から送信された信号を受信できるときは、Ｓ２１に進み、燃料供給経路のポンプ４０を起動させると共に、電磁弁３８を開弁させる。操作者は、ノズル収納部３２からノズル３０を取り上げる前に送信装置１００を送信装置収納部１１０から取り出して所持する。送信装置１００は、燃料供給用のＩＤカードであるので、燃料供給が終了するまで、操作者が所持し、燃料供給が終了すると、送信装置収納部１１０に戻される。
【００４９】
車両Ｃの燃料供給口に挿入されたノズル３０のノズルレバー３０ｄを開弁方向に操作すると、ポンプ４０により送液された燃料が当該車両Ｃの燃料タンクに供給される。Ｓ２２では、流量計４２から出力された流量パルスを積算して供給量を演算すると共に、表示器２７に供給量を表示する。
【００５０】
次のＳ２３では、燃料供給中にノズル３０の受信装置９０が送信装置１００から送信された信号を受信できるか否かをチェックする。Ｓ２３において、ノズル３０の受信装置９０が送信装置１００から送信された信号を受信できないときは、送信装置１００を所持する操作者がノズル３０から離れて受信装置９０の送受信可能範囲（図５参照）の外側に移動したものと判断し、Ｓ２４に進む。Ｓ２４では、タイマｔのカウント値に１を加算する。続いて、Ｓ２５では、タイマｔのカウント値が予め設定された設定時間に達したか否かをチェックする。Ｓ２５において、タイマｔのカウント値が予め設定された設定時間に達していないときは、Ｓ２７に進む。
【００５１】
また、上記Ｓ２３において、ノズル３０の受信装置９０が送信装置１００から送信された信号を受信できるときは、Ｓ２６に進み、タイマｔをゼロにリセットする。次のＳ２７では、ノズルスイッチ５０がオンか否かをチェックしており、ノズルスイッチ５０がオンのときは、ノズル３０がノズル収納部３２に収納された状態に戻されたものと判断する。
【００５２】
また、Ｓ２７において、ノズル収納部３２のノズルスイッチ５０がオフのときは、ノズル３０がノズル収納部３２に収納されていないので、Ｓ２８に進み、流量計４２からの流量パルスが停止中か否かをチェックする（停止判別手段）。Ｓ２８において、流量計４２からの流量パルスが出力されたときは、燃料供給が継続しているので、上記Ｓ２２に戻り、Ｓ２２以降の処理を繰り返す。
【００５３】
また、Ｓ２８において、流量計４２からの流量パルスが出力されないときは、ノズルから燃料タンクへの燃料供給が停止しているものと判断してＳ２９に進み、ノズル３０の受信装置９０が送信装置１００から送信された信号を受信できるか否かをチェックする。Ｓ２９において、ノズル３０の受信装置９０が送信装置１００から送信された信号を受信できるときは、燃料供給が継続しているので、上記Ｓ２２に戻り、Ｓ２２以降の処理を繰り返す。
【００５４】
上記Ｓ２５において、タイマｔのカウント値が予め設定された設定時間に達したときは、あるいはＳ２９において、ノズル３０の受信装置９０が送信装置１００から送信された信号を受信できないときは、操作者が受信装置９０の送受信可能範囲より外側の位置に移動しているものと判断し、図８のＳ３０に進み、ポンプ４０を停止させると共に、電磁弁３８を閉止する。これにより、ノズル３０への燃料供給が停止するため、ノズル３０が接続された当該車両Ｃの燃料タンクへの燃料供給が停止する。
【００５５】
すなわち、燃料供給中及び、燃料供給が一時停止された場合に、操作者がノズル３０から離れ、受信装置９０の送受信可能範囲の外側に移動したものと判断し、ポンプ４０を停止させることができるため、操作者がノズル３０から離れている間にノズル３０のノズルレバー３０ｄを他の者が勝手に操作して当該車両Ｃ以外の容器に燃料を供給したり、あるいはノズルレバー３０ｄを開弁位置に係止させて燃料供給している場合にオーバフローさせてしまうことを防止できる。また、本発明によると操作者が燃料供給中にノズル３０から離れると燃料供給が停止されるので、燃料供給中に操作者が不在となり、ノズル３０が燃料供給口から脱落した場合に、ノズル３０から燃料が車両Ｃの周辺に撒かれたりすることも防止できる。
【００５６】
Ｓ３１では、燃料供給が停止していることをスピーカ６０より音声で操作者に報知する。
【００５７】
続いて、Ｓ３２に進み、ノズルスイッチ５０がオンか否かをチェックしており、ノズルスイッチ５０がオフのときは、ノズル３０がノズル収納部３２に収納されていないので、Ｓ３３に進み、燃料供給中にノズル３０の受信装置９０が送信装置１００から送信された信号を受信できるか否かをチェックする。
【００５８】
また、Ｓ３２において、ノズルスイッチ５０がオンのときは、燃料供給が終了してノズル３０がノズル収納部３２に収納されているので、後述するＳ３６に進む。
【００５９】
Ｓ３３において、ノズル３０の受信装置９０が送信装置１００から送信された信号を受信できないときは、上記Ｓ３０の処理に戻り、Ｓ３０以降の処理を繰り返す。また、上記Ｓ３３において、ノズル３０の受信装置９０が送信装置１００から送信された信号を受信できるようになったときは、Ｓ３４に進み、停止中のポンプ４０を起動することをスピーカ６０により操作者に報知する。
【００６０】
そして、上記Ｓ２１に戻り、ポンプ４０を再起動して燃料供給を再開する。これにより、操作者がノズル３０から離れた位置から受信装置９０の送受信可能範囲の内側に戻った場合には、ポンプ４０が再起動されてノズル３０への燃料供給が自動的に再開される。
【００６１】
また、上記Ｓ２７において、ノズルスイッチ５０がオンのときは、当該車両への燃料供給が終了し、ノズル３０がノズル収納部３２に収納されたものと判断して、Ｓ３５に進み、ポンプ４０の運転を停止すると共に、電磁弁３８を閉止する。当該車両Ｃへの燃料供給操作が終了した場合、操作者は送信装置１００を送信装置収納部１１０に返却する。
【００６２】
続いて、Ｓ３６では、送信装置収納部１１０に送信装置１００が収納されているか否かをチェックする。Ｓ３６において、送信装置収納部１１０に設けられた送信機検出部１１２により送信装置１００のバーコードシール１０２に印刷されたバーコードが読み取れないときは、送信装置収納部１１０に送信装置１００が収納されていないものと判断し、Ｓ３７に進み、操作者に対しスピーカ６０により送信装置１００を送信装置収納部１１０に戻すように報知する。
【００６３】
また、Ｓ３６において、送信装置収納部１１０に設けられた送信機検出部１１２により送信装置１００のバーコードシール１０２に印刷されたバーコードが読み取られたときは、送信装置１００が送信装置収納部１１０に収納されていると判断してＳ３８に進む。
【００６４】
Ｓ３８では、管理コンピュータ２０に当該ノズル３０により車両Ｃに供給された燃料供給量を通知する。続いて、Ｓ３９では、当該燃料供給量の精算処理を行なう。Ｓ３９において、燃料供給前に投入された現金に対する釣り銭がある場合は、伝票発行機５８から燃料供給量、投入金額、燃料供給代金、釣り銭が印字されたレシートを発行する。顧客は、この釣り銭データ（例えば、バーコード）が記載されたレシートを事務所の釣り銭機に読み取らせて釣り銭を受け取ることができる。
【００６５】
また、顧客がプリペイドカードを投入した場合は、プリペイドカードに記憶されている金額データから今回の燃料供給量に相当する度数（金額）を減算し、差額に相当する度数を残額として上書きしたプリペイドカードを返却する。このように、燃料供給が終了した場合、送信装置収納部１１０に送信装置１００が収納（返却）されたことを条件に精算処理が実行される。
【産業上の利用可能性】
【００６６】
上記実施例では、車両の燃料タンクにガソリンや軽油等の液体燃料を供給するように構成された燃料供給装置について説明したが、これに限らず、例えば、ＬＰＧ（液化石油ガス）やＬＮＧ（液化天然ガス）、ＣＮＧ（圧縮天然ガス）、燃料電池の燃料となる水素などのガスを充填するガス充填用の燃料供給装置にも適用できるのは勿論である。
【００６７】
また、上記実施例では、送信装置１００を各燃料供給装置１６に対応させて配する場合を例に挙げて説明したが、これに限らず、例えば、各顧客毎に配布する会員カードに送信機を設けることで、顧客の位置とノズルとの相対距離を検出するようにしても良い。その場合、複数の顧客が同じ会員カードを所持していることも考えられるので、燃料供給を開始する前に当該会員カードに記憶されている顧客情報をカードリーダに読み込ませることにより顧客の会員カードの位置を識別するように構成すれば良い。
【００６８】
また、上記実施例では、ポンプの停止や電磁弁の閉弁によって燃料供給を停止させることを説明した。しかし、燃料供給の停止については、これに限らない。例えば、燃料供給経路中に電磁弁に代えて機械式の遮断弁を設け、この遮断弁を開閉させることにより燃料供給を停止させるようにしてもよい。
【００６９】
また、上記実施例では、ノズルからの燃料供給が停止されたか否かを検知する停止判別手段の例として、流量計からの流量パルスにより検知することを挙げて説明した。しかし、停止判別手段としては、これに限らない。例えば、流量計の計測値によってノズルからの燃料供給が停止されたか否かを検知するようにしてもよい。
【符号の説明】
【００７０】
１０  燃料供給システム
１２  燃料供給エリア
１６  燃料供給装置
２０  管理コンピュータ
２４  計量機
２６  設定器
２７  表示器
２８  計量機本体
３０  ノズル
３２  ノズル収納部
３４  ホース
３６  制御回路
３８  電磁弁
４０  ポンプ
４２  流量計
５０  ノズルスイッチ
６０  スピーカ
９０  受信装置（受信手段）
９４  制御部
９６  無線受信機
９８  無線用アンテナ
１００  送信装置（送信手段）
１０１  ケース
１０２  バーコードシール
１０３  制御部
１０４  無線送信機
１０５  メモリ
１０６  充電式バッテリ
１１０  送信装置収納部
１１２  送信機検出部
【図１】
0005520039.tif 000002
【図２】
0005520039.tif 000003
【図３】
0005520039.tif 000004
【図４】
0005520039.tif 000005
【図５】
0005520039.tif 000006
【図６】
0005520039.tif 000007
【図７】
0005520039.tif 000008
【図８】
0005520039.tif 000009